【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
前記ＵＥ用のスケジューリング要求（ＳＲ）繰返しパラメータを備えるメッセージを基地局から受信すること、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信することと
を備える、方法。
【請求項２】
ｉ）前記ＳＲ繰返しパラメータは、ＳＲ繰返しの最大数を示すＳＲ繰返し数を表す、
ｉｉ）前記ＳＲ繰返しパラメータは、ＳＲ繰返し周期を表す、
ｉｉｉ）前記ＳＲ繰返しパラメータは、前記ＳＲの前記繰返しの送信を開始する開始シンボル期間を表し、前記開始シンボル期間は、ＳＲ繰返し数およびＳＲ繰返し周期に少なくとも部分的に基づき、前記ＳＲの前記繰返しは、前記開始シンボル期間を使用して送信される、
ｉｖ）前記ＳＲ繰返しパラメータは、前記ＵＥ用のＳＲ繰返し構成のインデックスを備える、
ｖ）前記ＳＲ繰返しパラメータは、前記ＳＲの前記繰返し用の電力構成を表し、前記方法は、
前記電力構成に基づいて、前記ＳＲの前記繰返しを送信するための送信電力を調整することをさらに備える、
ｖｉ）前記ＳＲ繰返しパラメータは、ＳＲリソース割振りを表し、前記ＳＲの前記繰返しは、前記ＳＲリソース割振りに従って時間周波数リソースのセット上で送信される、
ｖｉｉ）前記ＳＲの前記繰返しを送信することは、
ＳＲ繰返しの最大数が満たされるまで、ＳＲ応答ウィンドウの間に前記ＳＲを送信することを備える、
ｖｉｉｉ）前記ＳＲの前記繰返しを送信することは、
前記基地局からリソース認可が受信されるまで、ＳＲ応答ウィンドウの間に前記ＳＲを送信することを備える、
ｉｘ）前記ＳＲの前記繰返しを送信することは、
複数のスロットまたはサブフレーム内で前記ＳＲの前記繰返しを送信することを備える、
ｘ）フィードバックメッセージの送信と前記ＳＲの前記繰返しとの間の衝突を識別することと、
前記フィードバックメッセージの優先度と前記ＳＲの前記繰返しの優先度とを決定することと、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信することと
をさらに備える
ｘｉ）前記メッセージは、無線リソース制御（ＲＲＣ）メッセージを備えるか、または物理ダウンリンク制御チャネル（ＰＤＣＣＨ）を介する、または
ｘｉｉ）前記ＳＲの前記繰返しは、超高信頼低遅延通信（ＵＲＬＬＣ）の一部として送信される、 のうちの１つを備える、請求項１に記載の方法。
【請求項３】
ｉ）前記ＳＲの前記繰返しを送信するための前記送信電力を調整することは、
しきい値を満たすチャネル状態を有するために、前記ＵＥによって知られているシンボル期間内で前記ＳＲの前記繰返し用の前記送信電力を増大させることを備える、または
ｉｉ）前記ＳＲ繰返しパラメータは、ＳＲ繰返し数に少なくとも部分的に基づいて、前記ＳＲの前記繰返しを送信するための前記送信電力を表す、
請求項２のオプションｖに記載の方法。
【請求項４】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返しを送信することを表す、
請求項２のオプションｖｉに記載の方法。
【請求項５】
基地局におけるワイヤレス通信のための方法であって、
ユーザ機器（ＵＥ）に関連付けられたチャネル状態を識別することと、
前記チャネル状態に少なくとも部分的に基づいて前記ＵＥ用のスケジューリング要求（ＳＲ）繰返し構成を決定すること、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成することと、
前記ＳＲ繰返しパラメータを前記ＵＥに送信することと
を備える、方法。
【請求項６】
ｉ）前記ＵＥによるＳＲ繰返しの最大数を示すＳＲ繰返し数を決定することをさらに備え、前記ＳＲ繰返しパラメータは、前記ＳＲ繰返し数を表す、
ｉｉ）前記ＵＥがＳＲの繰返しを送信するためのＳＲ繰返し周期を決定することをさらに備え、前記ＳＲ繰返しパラメータは、前記ＳＲ繰返し周期を表す、
ｉｉｉ）前記ＵＥがＳＲの繰返しを送信するための開始シンボル期間を決定することをさらに備え、前記開始シンボル期間は、ＳＲ繰返し数およびＳＲ繰返し周期に少なくとも部分的に基づき、前記ＳＲ繰返しパラメータは、前記開始シンボル期間を表す、
ｉｖ）前記ＳＲ繰返しパラメータは、前記ＳＲ繰返し構成のインデックスを備える、
ｖ）前記ＵＥがＳＲの繰返しを送信するための電力構成を決定することをさらに備え、前記電力構成は、前記チャネル状態に少なくとも部分的に基づき、前記ＳＲ繰返しパラメータは、前記電力構成を表す、
ｖｉ）前記ＵＥがＳＲの繰返しを送信するためのＳＲリソース割振りを構成することをさらに備え、前記ＳＲ繰返しパラメータは、前記ＳＲリソース割振りを表す、
ｖｉｉ）前記ＳＲ繰返し構成に従って、ＳＲ応答ウィンドウの間にＳＲの繰返しを前記ＵＥから受信することと、
前記ＳＲの前記受信された繰返しの組合せに少なくとも部分的に基づいて、前記ＳＲを復号することと
ｖｉｉｉ）前記ＳＲ繰返し構成はまた、前記ＵＥの信頼性要件、もしくは前記ＵＥの位置、またはそれらの任意の組合せに少なくとも部分的に基づく、または
ｉｘ）前記ＳＲ繰返しパラメータは、無線リソース制御（ＲＲＣ）メッセージングを介して、または物理ダウンリンク制御チャネル（ＰＤＣＣＨ）を介して送信される、
のうちの１つをさらに備える、請求項５に記載の方法。
【請求項７】
前記電力構成は、ＳＲ繰返し数に少なくとも部分的に基づいて、前記ＳＲの前記繰返しを送信するための送信電力のインジケーションを含む、
請求項６のオプションｖ）に記載の方法。
【請求項８】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返し用の時間周波数リソースのセットを示す、
請求項６のオプションｖｉ）に記載の方法。
【請求項９】
ワイヤレス通信のための装置であって、
ユーザ機器（ＵＥ）用のスケジューリング要求（ＳＲ）繰返しパラメータを備えるメッセージを基地局から受信するための手段、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信するための手段と
を備える、装置。
【請求項１０】
ｉ）前記ＳＲ繰返しパラメータは、ＳＲ繰返しの最大数を示すＳＲ繰返し数を表す、
ｉｉ）前記ＳＲ繰返しパラメータは、ＳＲ繰返し周期を表す、
ｉｉｉ）前記ＳＲ繰返しパラメータは、前記ＳＲの前記繰返しの送信を開始する開始シンボル期間を表し、前記開始シンボル期間は、ＳＲ繰返し数およびＳＲ繰返し周期に少なくとも部分的に基づき、前記ＳＲの前記繰返しは、前記開始シンボル期間を使用して送信される、
ｉｖ）前記ＳＲ繰返しパラメータは、前記ＵＥ用のＳＲ繰返し構成のインデックスを備える、
ｖ）前記ＳＲ繰返しパラメータは、前記ＳＲの前記繰返し用の電力構成を表し、
前記電力構成に基づいて、前記ＳＲの前記繰返しを送信するための送信電力を調整するための手段をさらに備える、
ｖｉ）前記ＳＲ繰返しパラメータは、ＳＲリソース割振りを表し、前記ＳＲの前記繰返しが、前記ＳＲリソース割振りに従って時間周波数リソースのセット上で送信される、
ｖｉｉ）前記ＳＲの前記繰返しを前記送信するための手段は、
ＳＲ繰返しの最大数が満たされるまで、ＳＲ応答ウィンドウの間に前記ＳＲを送信するための手段を備える、
ｖｉｉｉ）前記ＳＲの前記繰返しを前記送信するための手段は、
前記基地局からリソース認可が受信されるまで、ＳＲ応答ウィンドウの間に前記ＳＲを送信するための手段を備える、
ｉｘ）前記ＳＲの前記繰返しを前記送信するための手段は、
複数のスロットまたはサブフレーム内で前記ＳＲの前記繰返しを送信するための手段を備える、
ｘ）フィードバックメッセージの送信と前記ＳＲの前記繰返しとの間の衝突を識別するための手段と、
前記フィードバックメッセージの優先度と前記ＳＲの前記繰返しの優先度とを決定するための手段と、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信するための手段と
ｘｉ）前記メッセージは、無線リソース制御（ＲＲＣ）メッセージを備えるか、または物理ダウンリンク制御チャネル（ＰＤＣＣＨ）を介する、
ｘｉｉ）前記ＳＲの前記繰返しは、超高信頼低遅延通信（ＵＲＬＬＣ）の一部として送信される、
のうちの１つをさらに備える、請求項９に記載の装置。
【請求項１１】
ｉ）前記ＳＲの前記繰返しを送信するための前記送信電力を前記調整するための手段は、
しきい値を満たすチャネル状態を有するために、前記ＵＥによって知られているシンボル期間内で前記ＳＲの前記繰返し用の前記送信電力を増大させるための手段を備える、または
ｉｉ）前記ＳＲ繰返しパラメータは、ＳＲ繰返し数に少なくとも部分的に基づいて、前記ＳＲの前記繰返しを送信するための前記送信電力を表す、
請求項３４に記載の装置。
【請求項１２】
ワイヤレス通信のための装置であって、
ユーザ機器（ＵＥ）に関連付けられたチャネル状態を識別するための手段と、
前記チャネル状態に少なくとも部分的に基づいて前記ＵＥ用のスケジューリング要求（ＳＲ）繰返し構成を決定するための手段、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成するための手段と、
前記ＳＲ繰返しパラメータを前記ＵＥに送信するための手段と
を備える、装置。
【請求項１３】
ｉ）前記ＵＥによるＳＲ繰返しの最大数を示すＳＲ繰返し数を決定するための手段をさらに備え、前記ＳＲ繰返しパラメータが前記ＳＲ繰返し数を表す、
ｉｉ）前記ＵＥがＳＲの繰返しを送信するためのＳＲ繰返し周期を決定するための手段をさらに備え、前記ＳＲ繰返しパラメータは、前記ＳＲ繰返し周期を表す、
ｉｉｉ）前記ＵＥがＳＲの繰返しを送信するための開始シンボル期間を決定するための手段をさらに備え、前記開始シンボル期間がＳＲ繰返し数およびＳＲ繰返し周期に少なくとも部分的に基づき、前記ＳＲ繰返しパラメータは、前記開始シンボル期間を表す、
ｉｖ）前記ＳＲ繰返しパラメータは、前記ＳＲ繰返し構成のインデックスを備える、
ｖ）前記ＵＥがＳＲの繰返しを送信するための電力構成を決定するための手段をさらに備え、前記電力構成は、前記チャネル状態に少なくとも部分的に基づき、前記ＳＲ繰返しパラメータは、前記電力構成を表す、
ｖｉ）
前記ＵＥがＳＲの繰返しを送信するためのＳＲリソース割振りを構成するための手段をさらに備え、前記ＳＲ繰返しパラメータは、前記ＳＲリソース割振りを表す、
ｖｉｉ）前記ＳＲ繰返し構成に従って、ＳＲ応答ウィンドウの間にＳＲの繰返しを前記ＵＥから受信するための手段と、
前記ＳＲの前記受信された繰返しの組合せに少なくとも部分的に基づいて、前記ＳＲを復号するための手段と
ｖｉｉｉ）前記ＳＲ繰返し構成はまた、前記ＵＥの信頼性要件、もしくは前記ＵＥの位置、またはそれらの任意の組合せに少なくとも部分的に基づく、または
ｉｘ）前記ＳＲ繰返しパラメータは、無線リソース制御（ＲＲＣ）メッセージングを介して、または物理ダウンリンク制御チャネル（ＰＤＣＣＨ）を介して送信される、
のうちの１つをさらに備える、請求項１２に記載の装置。
【手続補正２】
【補正対象書類名】明細書
【補正対象項目名】０１９２
【補正方法】変更
【補正の内容】
【０１９２】
[0200]本明細書の説明は、当業者が本開示を作成または使用することを可能にするように提供される。本開示に対する様々な修正は当業者には容易に明らかであり、本明細書で定義された一般原理は、本開示の範囲から逸脱することなく他の変形形態に適用され得る。したがって、本開示は、本明細書に記載された例および設計に限定されず、本明細書で開示された原理および新規の特徴に合致する最も広い範囲を与えられるべきである。
以下に、本願出願の当初の特許請求の範囲に記載された発明を付記する。
［Ｃ１］
ユーザ機器（ＵＥ）におけるワイヤレス通信のための方法であって、
前記ＵＥ用のスケジューリング要求（ＳＲ）繰返しパラメータを備えるメッセージを基地局から受信すること、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信することと
を備える、方法。
［Ｃ２］
前記ＳＲ繰返しパラメータは、ＳＲ繰返しの最大数を示すＳＲ繰返し数を表す、
［Ｃ１］に記載の方法。
［Ｃ３］
前記ＳＲ繰返しパラメータは、ＳＲ繰返し周期を表す、
［Ｃ１］に記載の方法。
［Ｃ４］
前記ＳＲ繰返しパラメータは、前記ＳＲの前記繰返しの送信を開始する開始シンボル期間を表し、前記開始シンボル期間は、ＳＲ繰返し数およびＳＲ繰返し周期に少なくとも部分的に基づき、前記ＳＲの前記繰返しは、前記開始シンボル期間を使用して送信される、
［Ｃ１］に記載の方法。
［Ｃ５］
前記ＳＲ繰返しパラメータは、前記ＵＥ用のＳＲ繰返し構成のインデックスを備える、
［Ｃ１］に記載の方法。
［Ｃ６］
前記ＳＲ繰返しパラメータは、前記ＳＲの前記繰返し用の電力構成を表し、前記方法は、
前記電力構成に基づいて、前記ＳＲの前記繰返しを送信するための送信電力を調整することをさらに備える、
［Ｃ１］に記載の方法。
［Ｃ７］
前記ＳＲの前記繰返しを送信するための前記送信電力を調整することは、
しきい値を満たすチャネル状態を有するために、前記ＵＥによって知られているシンボル期間内で前記ＳＲの前記繰返し用の前記送信電力を増大させることを備える、
［Ｃ６］に記載の方法。
［Ｃ８］
前記ＳＲ繰返しパラメータは、ＳＲ繰返し数に少なくとも部分的に基づいて、前記ＳＲの前記繰返しを送信するための前記送信電力を表す、
［Ｃ６］に記載の方法。
［Ｃ９］
前記ＳＲ繰返しパラメータは、ＳＲリソース割振りを表し、前記ＳＲの前記繰返しは、前記ＳＲリソース割振りに従って時間周波数リソースのセット上で送信される、
［Ｃ１］に記載の方法。
［Ｃ１０］
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返しを送信することを表す、
［Ｃ９］に記載の方法。
［Ｃ１１］
前記ＳＲの前記繰返しを送信することは、
ＳＲ繰返しの最大数が満たされるまで、ＳＲ応答ウィンドウの間に前記ＳＲを送信することを備える、
［Ｃ１］に記載の方法。
［Ｃ１２］
前記ＳＲの前記繰返しを送信することは、
前記基地局からリソース認可が受信されるまで、ＳＲ応答ウィンドウの間に前記ＳＲを送信することを備える、
［Ｃ１］に記載の方法。
［Ｃ１３］
前記ＳＲの前記繰返しを送信することは、
複数のスロットまたはサブフレーム内で前記ＳＲの前記繰返しを送信することを備える、
［Ｃ１］に記載の方法。
［Ｃ１４］
フィードバックメッセージの送信と前記ＳＲの前記繰返しとの間の衝突を識別することと、
前記フィードバックメッセージの優先度と前記ＳＲの前記繰返しの優先度とを決定することと、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信することと
をさらに備える、［Ｃ１］に記載の方法。
［Ｃ１５］
前記メッセージは、無線リソース制御（ＲＲＣ）メッセージを備えるか、または物理ダウンリンク制御チャネル（ＰＤＣＣＨ）を介する、
［Ｃ１］に記載の方法。
［Ｃ１６］
前記ＳＲの前記繰返しは、超高信頼低遅延通信（ＵＲＬＬＣ）の一部として送信される、
［Ｃ１］に記載の方法。
［Ｃ１７］
基地局におけるワイヤレス通信のための方法であって、
ユーザ機器（ＵＥ）に関連付けられたチャネル状態を識別することと、
前記チャネル状態に少なくとも部分的に基づいて前記ＵＥ用のスケジューリング要求（ＳＲ）繰返し構成を決定すること、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成することと、
前記ＳＲ繰返しパラメータを前記ＵＥに送信することと
を備える、方法。
［Ｃ１８］
前記ＵＥによるＳＲ繰返しの最大数を示すＳＲ繰返し数を決定することをさらに備え、前記ＳＲ繰返しパラメータは、前記ＳＲ繰返し数を表す、
［Ｃ１７］に記載の方法。
［Ｃ１９］
前記ＵＥがＳＲの繰返しを送信するためのＳＲ繰返し周期を決定することをさらに備え、前記ＳＲ繰返しパラメータは、前記ＳＲ繰返し周期を表す、
［Ｃ１７］に記載の方法。
［Ｃ２０］
前記ＵＥがＳＲの繰返しを送信するための開始シンボル期間を決定することをさらに備え、前記開始シンボル期間は、ＳＲ繰返し数およびＳＲ繰返し周期に少なくとも部分的に基づき、前記ＳＲ繰返しパラメータは、前記開始シンボル期間を表す、
［Ｃ１７］に記載の方法。
［Ｃ２１］
前記ＳＲ繰返しパラメータは、前記ＳＲ繰返し構成のインデックスを備える、
［Ｃ１７］に記載の方法。
［Ｃ２２］
前記ＵＥがＳＲの繰返しを送信するための電力構成を決定することをさらに備え、前記電力構成は、前記チャネル状態に少なくとも部分的に基づき、前記ＳＲ繰返しパラメータは、前記電力構成を表す、
［Ｃ１７］に記載の方法。
［Ｃ２３］
前記電力構成は、ＳＲ繰返し数に少なくとも部分的に基づいて、前記ＳＲの前記繰返しを送信するための送信電力のインジケーションを含む、
［Ｃ２２］に記載の方法。
［Ｃ２４］
前記ＵＥがＳＲの繰返しを送信するためのＳＲリソース割振りを構成することをさらに備え、前記ＳＲ繰返しパラメータは、前記ＳＲリソース割振りを表す、
［Ｃ１７］に記載の方法。
［Ｃ２５］
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返し用の時間周波数リソースのセットを示す、
［Ｃ２４］に記載の方法。
［Ｃ２６］
前記ＳＲ繰返し構成に従って、ＳＲ応答ウィンドウの間にＳＲの繰返しを前記ＵＥから受信することと、
前記ＳＲの前記受信された繰返しの組合せに少なくとも部分的に基づいて、前記ＳＲを復号することと
をさらに備える、［Ｃ１７］に記載の方法。
［Ｃ２７］
前記ＳＲ繰返し構成はまた、前記ＵＥの信頼性要件、もしくは前記ＵＥの位置、またはそれらの任意の組合せに少なくとも部分的に基づく、
［Ｃ１７］に記載の方法。
［Ｃ２８］
前記ＳＲ繰返しパラメータは、無線リソース制御（ＲＲＣ）メッセージングを介して、または物理ダウンリンク制御チャネル（ＰＤＣＣＨ）を介して送信される、
［Ｃ１７］に記載の方法。
［Ｃ２９］
ワイヤレス通信のための装置であって、
ユーザ機器（ＵＥ）用のスケジューリング要求（ＳＲ）繰返しパラメータを備えるメッセージを基地局から受信するための手段、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信するための手段と
を備える、装置。
［Ｃ３０］
前記ＳＲ繰返しパラメータは、ＳＲ繰返しの最大数を示すＳＲ繰返し数を表す、
［Ｃ２９］に記載の装置。
［Ｃ３１］
前記ＳＲ繰返しパラメータは、ＳＲ繰返し周期を表す、
［Ｃ２９］に記載の装置。
［Ｃ３２］
前記ＳＲ繰返しパラメータは、前記ＳＲの前記繰返しの送信を開始する開始シンボル期間を表し、前記開始シンボル期間は、ＳＲ繰返し数およびＳＲ繰返し周期に少なくとも部分的に基づき、前記ＳＲの前記繰返しは、前記開始シンボル期間を使用して送信される、
［Ｃ２９］に記載の装置。
［Ｃ３３］
前記ＳＲ繰返しパラメータは、前記ＵＥ用のＳＲ繰返し構成のインデックスを備える、
［Ｃ２９］に記載の装置。
［Ｃ３４］
前記ＳＲ繰返しパラメータは、前記ＳＲの前記繰返し用の電力構成を表し、
前記電力構成に基づいて、前記ＳＲの前記繰返しを送信するための送信電力を調整するための手段をさらに備える、
［Ｃ２９］に記載の装置。
［Ｃ３５］
前記ＳＲの前記繰返しを送信するための前記送信電力を前記調整するための手段は、
しきい値を満たすチャネル状態を有するために、前記ＵＥによって知られているシンボル期間内で前記ＳＲの前記繰返し用の前記送信電力を増大させるための手段を備える、
［Ｃ３４］に記載の装置。
［Ｃ３６］
前記ＳＲ繰返しパラメータは、ＳＲ繰返し数に少なくとも部分的に基づいて、前記ＳＲの前記繰返しを送信するための前記送信電力を表す、
［Ｃ３４］に記載の装置。
［Ｃ３７］
前記ＳＲ繰返しパラメータは、ＳＲリソース割振りを表し、前記ＳＲの前記繰返しが、前記ＳＲリソース割振りに従って時間周波数リソースのセット上で送信される、
［Ｃ２９］に記載の装置。
［Ｃ３８］
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返しを送信することを表す、
［Ｃ３７］に記載の装置。
［Ｃ３９］
前記ＳＲの前記繰返しを前記送信するための手段は、
ＳＲ繰返しの最大数が満たされるまで、ＳＲ応答ウィンドウの間に前記ＳＲを送信するための手段を備える、
［Ｃ２９］に記載の装置。
［Ｃ４０］
前記ＳＲの前記繰返しを前記送信するための手段は、
前記基地局からリソース認可が受信されるまで、ＳＲ応答ウィンドウの間に前記ＳＲを送信するための手段を備える、
［Ｃ２９］に記載の装置。
［Ｃ４１］
前記ＳＲの前記繰返しを前記送信するための手段は、
複数のスロットまたはサブフレーム内で前記ＳＲの前記繰返しを送信するための手段を備える、
［Ｃ２９］に記載の装置。
［Ｃ４２］
フィードバックメッセージの送信と前記ＳＲの前記繰返しとの間の衝突を識別するための手段と、
前記フィードバックメッセージの優先度と前記ＳＲの前記繰返しの優先度とを決定するための手段と、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信するための手段と
をさらに備える、［Ｃ２９］に記載の装置。
［Ｃ４３］
前記メッセージは、無線リソース制御（ＲＲＣ）メッセージを備えるか、または物理ダウンリンク制御チャネル（ＰＤＣＣＨ）を介する、
［Ｃ２９］に記載の装置。
［Ｃ４４］
前記ＳＲの前記繰返しは、超高信頼低遅延通信（ＵＲＬＬＣ）の一部として送信される、
［Ｃ２９］に記載の装置。
［Ｃ４５］
ワイヤレス通信のための装置であって、
ユーザ機器（ＵＥ）に関連付けられたチャネル状態を識別するための手段と、
前記チャネル状態に少なくとも部分的に基づいて前記ＵＥ用のスケジューリング要求（ＳＲ）繰返し構成を決定するための手段、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成するための手段と、
前記ＳＲ繰返しパラメータを前記ＵＥに送信するための手段と
を備える、装置。
［Ｃ４６］
前記ＵＥによるＳＲ繰返しの最大数を示すＳＲ繰返し数を決定するための手段をさらに備え、前記ＳＲ繰返しパラメータが前記ＳＲ繰返し数を表す、
［Ｃ４５］に記載の装置。
［Ｃ４７］
前記ＵＥがＳＲの繰返しを送信するためのＳＲ繰返し周期を決定するための手段をさらに備え、前記ＳＲ繰返しパラメータは、前記ＳＲ繰返し周期を表す、
［Ｃ４５］に記載の装置。
［Ｃ４８］
前記ＵＥがＳＲの繰返しを送信するための開始シンボル期間を決定するための手段をさらに備え、前記開始シンボル期間がＳＲ繰返し数およびＳＲ繰返し周期に少なくとも部分的に基づき、前記ＳＲ繰返しパラメータは、前記開始シンボル期間を表す、
［Ｃ４５］に記載の装置。
［Ｃ４９］
前記ＳＲ繰返しパラメータは、前記ＳＲ繰返し構成のインデックスを備える、
［Ｃ４５］に記載の装置。
［Ｃ５０］
前記ＵＥがＳＲの繰返しを送信するための電力構成を決定するための手段をさらに備え、前記電力構成は、前記チャネル状態に少なくとも部分的に基づき、前記ＳＲ繰返しパラメータは、前記電力構成を表す、
［Ｃ４５］に記載の装置。
［Ｃ５１］
前記電力構成は、ＳＲ繰返し数に少なくとも部分的に基づいて、前記ＳＲの前記繰返しを送信するための送信電力のインジケーションを含む、
［Ｃ５０］に記載の装置。
［Ｃ５２］
前記ＵＥがＳＲの繰返しを送信するためのＳＲリソース割振りを構成するための手段をさらに備え、前記ＳＲ繰返しパラメータは、前記ＳＲリソース割振りを表す、
［Ｃ４５］に記載の装置。
［Ｃ５３］
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返し用の時間周波数リソースのセットを示す、
［Ｃ５２］に記載の装置。
［Ｃ５４］
前記ＳＲ繰返し構成に従って、ＳＲ応答ウィンドウの間にＳＲの繰返しを前記ＵＥから受信するための手段と、
前記ＳＲの前記受信された繰返しの組合せに少なくとも部分的に基づいて、前記ＳＲを復号するための手段と
をさらに備える、［Ｃ４５］に記載の装置。
［Ｃ５５］
前記ＳＲ繰返し構成はまた、前記ＵＥの信頼性要件、もしくは前記ＵＥの位置、またはそれらの任意の組合せに少なくとも部分的に基づく、
［Ｃ４５］に記載の装置。
［Ｃ５６］
前記ＳＲ繰返しパラメータは、無線リソース制御（ＲＲＣ）メッセージングを介して、または物理ダウンリンク制御チャネル（ＰＤＣＣＨ）を介して送信される、
［Ｃ４５］に記載の装置。
［Ｃ５７］
ワイヤレス通信のための装置であって、
プロセッサと、
前記プロセッサと電子通信しているメモリと、
前記メモリに記憶され、前記プロセッサによって実行されると、前記装置に、
ユーザ機器（ＵＥ）用のスケジューリング要求（ＳＲ）繰返しパラメータを備えるメッセージを基地局から受信すること、前記ＳＲ繰返しパラメータがＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信することと
を行わせるように動作可能である、命令と
を備える、装置。
［Ｃ５８］
前記ＳＲ繰返しパラメータは、ＳＲ繰返しの最大数を示すＳＲ繰返し数を表す、
［Ｃ５７］に記載の装置。
［Ｃ５９］
前記ＳＲ繰返しパラメータは、ＳＲ繰返し周期を表す、
［Ｃ５７］に記載の装置。
［Ｃ６０］
前記ＳＲ繰返しパラメータは、前記ＳＲの前記繰返しの送信を開始する開始シンボル期間を表し、前記開始シンボル期間がＳＲ繰返し数およびＳＲ繰返し周期に少なくとも部分的に基づき、前記ＳＲの前記繰返しは、前記開始シンボル期間を使用して送信される、
［Ｃ５７］に記載の装置。
［Ｃ６１］
前記ＳＲ繰返しパラメータは、前記ＵＥ用のＳＲ繰返し構成のインデックスを備える、
［Ｃ５７］に記載の装置。
［Ｃ６２］
前記ＳＲ繰返しパラメータは、前記ＳＲの前記繰返し用の電力構成を表し、前記命令は、前記プロセッサにより、
前記電力構成に基づいて、前記ＳＲの前記繰返しを送信するための送信電力を調整することを行うようにさらに実行可能である、
［Ｃ５７］に記載の装置。
［Ｃ６３］
前記ＳＲの前記繰返しを送信するための前記送信電力を調整するように前記プロセッサによって実行可能な前記命令は、前記プロセッサにより、
しきい値を満たすチャネル状態を有するために、前記ＵＥによって知られているシンボル期間内で前記ＳＲの前記繰返し用の前記送信電力を増大させることを備える、前記ＳＲの前記繰返しを送信するための前記送信電力を調整することを行うように実行可能なさらなる命令を備える、
［Ｃ６２］に記載の装置。
［Ｃ６４］
前記ＳＲ繰返しパラメータは、ＳＲ繰返し数に少なくとも部分的に基づいて、前記ＳＲの前記繰返しを送信するための前記送信電力を表す、
［Ｃ６２］に記載の装置。
［Ｃ６５］
前記ＳＲ繰返しパラメータは、ＳＲリソース割振りを表し、前記ＳＲの前記繰返しが、前記ＳＲリソース割振りに従って時間周波数リソースのセット上で送信される、
［Ｃ５７］に記載の装置。
［Ｃ６６］
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返しを送信することを表す、
［Ｃ６５］に記載の装置。
［Ｃ６７］
前記ＳＲの前記繰返しを送信するように前記プロセッサによって実行可能な前記命令は、前記プロセッサにより、
ＳＲ繰返しの最大数が満たされるまで、ＳＲ応答ウィンドウの間に前記ＳＲを送信することを行うように実行可能なさらなる命令を備える、
［Ｃ５７］に記載の装置。
［Ｃ６８］
前記ＳＲの前記繰返しを送信するように前記プロセッサによって実行可能な前記命令は、前記プロセッサにより、
前記基地局からリソース認可が受信されるまで、ＳＲ応答ウィンドウの間に前記ＳＲを送信することを備える、前記ＳＲの前記繰返しを送信することを行うように実行可能なさらなる命令を備える、［Ｃ５７］に記載の装置。
［Ｃ６９］
前記ＳＲの前記繰返しを送信するように前記プロセッサによって実行可能な前記命令は、前記プロセッサにより、
複数のスロットまたはサブフレーム内で前記ＳＲの前記繰返しを送信することを備える、前記ＳＲの前記繰返しを送信することを行うように実行可能なさらなる命令を備える、
［Ｃ５７］に記載の装置。
［Ｃ７０］
前記命令は、前記プロセッサにより、
フィードバックメッセージの送信と前記ＳＲの前記繰返しとの間の衝突を識別することと、
前記フィードバックメッセージの優先度と前記ＳＲの前記繰返しの優先度とを決定することと、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信することと
を行うようにさらに実行可能である、［Ｃ５７］に記載の装置。
［Ｃ７１］
前記メッセージは、無線リソース制御（ＲＲＣ）メッセージを備えるか、または物理レイヤ制御チャネル（ＰＤＣＣＨ）を介する、
［Ｃ５７］に記載の装置。
［Ｃ７２］
前記ＳＲの前記繰返しは、超高信頼低遅延通信（ＵＲＬＬＣ）の一部として送信される、
［Ｃ５７］に記載の装置。
［Ｃ７３］
ワイヤレス通信のための装置であって、
プロセッサと、
前記プロセッサと電子通信しているメモリと、
前記メモリに記憶され、前記プロセッサによって実行されると、前記装置に、
ユーザ機器（ＵＥ）に関連付けられたチャネル状態を識別することと、
前記チャネル状態に少なくとも部分的に基づいて前記ＵＥ用のスケジューリング要求（ＳＲ）繰返し構成を決定すること、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成することと、
前記ＳＲ繰返しパラメータを前記ＵＥに送信することと
を行わせるように動作可能である、命令と
を備える、装置。
［Ｃ７４］
前記命令は、前記プロセッサにより、
前記ＵＥによるＳＲ繰返しの最大数を示すＳＲ繰返し数を決定することを行うようにさらに実行可能であり、前記ＳＲ繰返しパラメータは、前記ＳＲ繰返し数を表す、
［Ｃ７３］に記載の装置。
［Ｃ７５］
前記命令は、前記プロセッサにより、
前記ＵＥがＳＲの繰返しを送信するためのＳＲ繰返し周期を決定することを行うようにさらに実行可能であり、前記ＳＲ繰返しパラメータは、前記ＳＲ繰返し周期を表す、
［Ｃ７３］に記載の装置。
［Ｃ７６］
前記命令は、前記プロセッサにより、
前記ＵＥがＳＲの繰返しを送信するための開始シンボル期間を決定することを行うようにさらに実行可能であり、前記開始シンボル期間がＳＲ繰返し数およびＳＲ繰返し周期に少なくとも部分的に基づき、前記ＳＲ繰返しパラメータが前記開始シンボル期間を表す、
［Ｃ７３］に記載の装置。
［Ｃ７７］
前記ＳＲ繰返しパラメータは、前記ＳＲ繰返し構成のインデックスを備える、
［Ｃ７３］に記載の装置。
［Ｃ７８］
前記命令は、前記プロセッサにより、
前記ＵＥがＳＲの繰返しを送信するための電力構成を決定することを行うようによってさらに実行可能であり、前記電力構成は、前記チャネル状態に少なくとも部分的に基づき、前記ＳＲ繰返しパラメータは、前記電力構成を表す、
［Ｃ７３］に記載の装置。
［Ｃ７９］
前記電力構成は、ＳＲ繰返し数に少なくとも部分的に基づいて、前記ＳＲの前記繰返しを送信するための送信電力のインジケーションを含む、
［Ｃ７８］に記載の装置。
［Ｃ８０］
前記命令は、前記プロセッサにより、
前記ＵＥがＳＲの繰返しを送信するためのＳＲリソース割振りを構成することを行うようにさらに実行可能であり、前記ＳＲ繰返しパラメータは、前記ＳＲリソース割振りを表す、
［Ｃ７３］に記載の装置。
［Ｃ８１］
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返し用の時間周波数リソースのセットを表す、
［Ｃ８０］に記載の装置。
［Ｃ８２］
前記命令は、前記プロセッサにより、
前記ＳＲ繰返し構成に従って、ＳＲ応答ウィンドウの間にＳＲの繰返しを前記ＵＥから受信することと、
前記ＳＲの前記受信された繰返しの組合せに少なくとも部分的に基づいて、前記ＳＲを復号することと
を行うようにさらに実行可能である、［Ｃ７３］に記載の装置。
［Ｃ８３］
前記ＳＲ繰返し構成はまた、前記ＵＥの信頼性要件、もしくは前記ＵＥの位置、またはそれらの任意の組合せに少なくとも部分的に基づく、
［Ｃ７３］に記載の装置。
［Ｃ８４］
前記ＳＲ繰返しパラメータは、無線リソース制御（ＲＲＣ）メッセージングを介して、または物理ダウンリンク制御チャネル（ＰＤＣＣＨ）を介して送信される、
［Ｃ７３］に記載の装置。
［Ｃ８５］
ワイヤレス通信のためのコードを記憶する非一時的コンピュータ可読媒体であって、前記コードは、
ユーザ機器（ＵＥ）用のスケジューリング要求（ＳＲ）繰返しパラメータを備えるメッセージを基地局から受信すること、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信することと
を行うようにプロセッサによって実行可能な命令を備える、非一時的コンピュータ可読媒体。
［Ｃ８６］
ワイヤレス通信のためのコードを記憶する非一時的コンピュータ可読媒体であって、前記コードは、プロセッサにより、
ユーザ機器（ＵＥ）に関連付けられたチャネル状態を識別することと、
前記チャネル状態に少なくとも部分的に基づいて前記ＵＥ用のスケジューリング要求（ＳＲ）繰返し構成を決定すること、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成することと、
前記ＳＲ繰返しパラメータを前記ＵＥに送信することと
を行うように実行可能な命令を備える、非一時的コンピュータ可読媒体。